(57)【特許請求の範囲】
【請求項１】
金属棒からなるフレームの座支持部と背支持部とに座部と背凭れ部を取付け、前記背支持部は少なくとも両側に立ち上がった背凭れ杆を有し、前記背凭れ部は鋼板製の背凭れ板と合成樹脂製の裏カバーとからなり、前記背凭れ板と裏カバーを前記背凭れ杆の直径以下の厚さで背支持部の内部に設けてなるスタッキング椅子であって、前記両背凭れ杆の内側の上下部に支持片を突設し、前記背凭れ板は、裏面側で前記支持片に対応させて固定台を突設するとともに、下縁に裏側へ折曲形成してリブ縁を設け、前記裏カバーは、前面側の上部両側に前記上側の支持片の下縁先端部に係止する上向き係止爪を突設し、更に下縁に前方へ突出し前記背凭れ板のリブ縁に重合する取付縁を形成し、前記背凭れ板の固定台を前記支持片の前面側に当接して後方からネジ止めし、そして前記裏カバーの係止爪を前記支持片に係止するとともに、前記リブ縁に取付縁を下方から重合した状態でネジ止めして前記背凭れ板の裏面に前記裏カバーを着脱可能に取付けてなることを特徴とするスタッキング椅子。
【請求項２】
前記背凭れ板は、裏面の上部中央に下向き係合片を固着し、前記裏カバーは、前面側の上部中央に前記係合片に係合する上向き係合爪を突設し、前記係合爪を前記係合片に係合してなる請求項１記載のスタッキング椅子。
【請求項３】
前記背凭れ板の表面にクロスやレザーの表張りを施し、あるいは薄いクッション材を添設してクロスやレザーの表張りを施してなる請求項１又は２記載のスタッキング椅子。
【発明の詳細な説明】
【技術分野】
【０００１】
本発明は、スタッキング椅子に係わり、更に詳しくは上下に多数積み重ねて収納することが可能なスタッキング椅子に関するものである。
【背景技術】
【０００２】
従来から金属パイプ製のフレームに座部と背凭れ部を取付けるとともに、上下に積み重ねることができるようにフレームの形状を下方へ広がった形状としたスタッキング椅子は各種提供されている。この種のスタッキング椅子では、フレームの形状は勿論のこと、座部や背凭れ部の厚さが、積み重ねることができる最大の脚数を規定する。
【０００３】
特許文献１には、脚フレームと背フレームと一体的に形成した金属材料製（ステンレス鋼製パイプ、ハイテンションパイプ等）のフレームに、座部と背凭れ部とを着脱可能に取付けた構造のスタッキング椅子が開示されている。具体的には、左右一対の脚フレームの上端間に溶接した座フレームに、座部をネジ止めして取付けるとともに、背フレームに背凭れ部を取付ける。ここで、前記背凭れ部は、合成樹脂製の背凭れ板とクッション材を含む上張り部材とからなり、背凭れ板は表板と裏板から構成され、前記背フレームの両側背凭れ支持杆の内側に固定した支持片に、前方から表板を当てて後方からネジ止めするとともに、裏板を表板に嵌着する構造が開示されている。
【０００４】
しかし、前記背凭れ板は、合成樹脂で成形したものであるので、強度を保つために薄くするのにも限界があり、しかも表板と裏板には、布や合成樹脂製のクロス又はレザーなどの張り地を裏面側に巻き込んでタッカーで固定し、特に表板には更にクッション材を介在させているので、その分だけ更に背凭れ部の厚さは厚くなる。そのため、上下に積み重ねることができる椅子の脚数は比較的少なくなると推測される。
【特許文献１】特開２０００−１３９号公報（図６）
【発明の開示】
【発明が解決しようとする課題】
【０００５】
そこで、本発明が前述の状況に鑑み、解決しようとするところは、上下に多数積み重ねて収納することが可能なスタッキング椅子において、背凭れ部の支持強度を維持しつつ背凭れ部の厚さを可及的に薄くして、上下に積み重ねることが可能な脚数を最大にするとともに、背凭れ部のフレームへの取付作業が容易であるスタッキング椅子を提供する点にある。
【課題を解決するための手段】
【０００６】
本発明は、前述の課題解決のために、金属棒からなるフレームの座支持部と背支持部とに座部と背凭れ部を取付け、前記背支持部は少なくとも両側に立ち上がった背凭れ杆を有し、前記背凭れ部は鋼板製の背凭れ板と合成樹脂製の裏カバーとからなり、前記背凭れ板と裏カバーを前記背凭れ杆の直径以下の厚さで背支持部の内部に設けてなるスタッキング椅子であって、前記両背凭れ杆の内側の上下部に支持片を突設し、前記背凭れ板は、裏面側で前記支持片に対応させて固定台を突設し、更に下縁に裏側へ折曲形成してリブ縁を設け、前記裏カバーは、前面側の上部両側に前記上側の支持片の下縁先端部に係止する上向き係止爪を突設し、更に下縁に前方へ突出し前記背凭れ板のリブ縁に重合する取付縁を形成し、前記背凭れ板の固定台を前記支持片の前面側に当接して後方からネジ止めし、そして前記裏カバーの係止爪を前記支持片に係止するとともに、前記リブ縁に取付縁を下方から重合した状態でネジ止めして前記背凭れ板の裏面に前記裏カバーを着脱可能に取付けてなることを特徴とするスタッキング椅子を構成した（請求項１）。
【０００７】
更に、前記背凭れ板は、裏面の上部中央に下向き係合片を固着し、前記裏カバーは、前面側の上部中央に前記係合片に係合する上向き係合爪を突設し、前記係合爪を前記係合片に係合してなることがより好ましい（請求項２）。
【０００８】
また、前記背凭れ板の表面にクロスやレザーの表張りを施し、あるいは薄いクッション材を添設してクロスやレザーの表張りを施してなることも好ましい（請求項３）。
【発明の効果】
【０００９】
以上にしてなる請求項１に係る発明のスタッキング椅子は、金属棒からなるフレームの座支持部と背支持部とに座部と背凭れ部を取付け、前記背支持部は少なくとも両側に立ち上がった背凭れ杆を有し、前記背凭れ部は鋼板製の背凭れ板と合成樹脂製の裏カバーとからなり、前記背凭れ板と裏カバーを前記背凭れ杆の直径以下の厚さで背支持部の内部に設けたので、背凭れ部の厚さが最小となり、上下に積み重ねることが可能な脚数を最大にすることができ、しかも背凭れ部を鋼板製の背凭れ板と合成樹脂製の裏カバーとから構成したので、背凭れ部の強度が高い。そして、前記両背凭れ杆の内側の上下部に支持片を突設し、鋼板製の前記背凭れ板の裏面側で前記支持片に対応させて固定台を突設し、該固定台を支持片の前面側に当接して後方からネジ止めするとともに、前記背凭れ板の裏面に前記裏カバーを着脱可能に取付けてなるので、背凭れ部の支持強度が高く、また背凭れ板の裏面を合成樹脂製の裏カバーで覆ったので、外観性にも優れている。そして、前記背凭れ板は、下縁に裏側へ折曲形成してリブ縁を設け、前記裏カバーは、前面側の上部両側に前記上側の支持片の下縁先端部に係止する上向き係止爪を突設し、更に下縁に前方へ突出し前記背凭れ板のリブ縁に重合する取付縁を形成し、前記係止爪を前記支持片に係止するとともに、前記リブ縁に取付縁を下方から重合した状態でネジ止めしてなるので、背凭れ板の固定台を両背凭れ杆の支持片の前面側に当止し、該固定台を支持片にネジ止めした状態で、裏面側から裏カバーを上方へ持ち上げながら背凭れ板に重ねることにより、該裏カバーの前面の上部両側の係止爪が、背凭れ杆に固定した上側両側の支持片の下縁先端部に係止し、更に背凭れ板の下縁のリブ縁に裏カバーの取付縁が重合し、その重合部を下方からネジ止めすることによって背凭れ部をフレームの背支持部に簡単且つ強固に取付けることができ、またリサイクル時の金属と合成樹脂の分離が容易である。
【００１０】
請求項２によれば、背凭れ板の固定台を両背凭れ杆の支持片の前面側に当止し、該固定台を支持片にネジ止めした状態で、裏面側から裏カバーを上方へ持ち上げながら背凭れ板に重ねることにより、該裏カバーの前面の上部中央の係合爪が、背凭れ板の裏面の上部中央の係合片に嵌合することができ、背凭れ部をフレームの背支持部に簡単且つ強固に取付けることができる。
【００１１】
請求項３によれば、前記背凭れ板の表面にクロスやレザーの表張りを施し、あるいは薄いクッション材を添設してクロスやレザーの表張りを施してなるので、外観性の向上を図ることができるとともに、従来の椅子と同様な肌触りや座り心地を確保できる。
【発明を実施するための最良の形態】
【００１２】
次に、添付図面に示した実施形態に基づき、本発明を更に詳細に説明する。図１及び図２は本発明に係るスタッキング椅子を示し、図３は要部の分解斜視図、図４〜図６は各部の詳細を示し、図中符号１はフレーム、２は座支持部、３は背支持部、４は座部、５は背凭れ部、６は背凭れ板、７は裏カバーをそれぞれ示している。
【００１３】
本発明に係るスタッキング椅子は、金属棒からなるフレーム１の座支持部２と背支持部３とに座部４と背凭れ部５をそれぞれ取付けたものであり、前記フレーム１は上下に積み重ね可能なように下方へやや広がった形状を有している。そして、前記背支持部３は少なくとも両側に立ち上がった背凭れ杆８，８を有し、本実施形態では両背凭れ杆８，８の上端は円弧状に上杆９で滑らかに連続したものである。尚、前記フレーム１は、金属製の丸パイプを屈曲して形成しているが、断面は四角形でもまた内部が中実であっても良い。
【００１４】
そして、前記背凭れ部５は、鋼板製の背凭れ板６と合成樹脂製の裏カバー７とからなり、前記背凭れ板６と裏カバー７を前記背凭れ杆８，８の直径以下の厚さで背支持部３の内部に設けるようにしている。具体的には、図３に示すように、前記両背凭れ杆８，８の内側の上下部に支持片１０，…を突設し、前記背凭れ板６の裏面側で前記支持片１０に対応させて固定台１１，…を突設し、該固定台１１を支持片１０の前面側に当接し、後方からネジ１２を支持片１０の中央部に穿設した通孔１３に挿通し、固定台１１に形成した螺孔１４を螺合して取付ける。ここで、前記背凭れ板６の大きさ及び形状は、前記背支持部３の両背凭れ杆８，８及び上杆９で囲まれる空間内に収まるように設定している。そして、前記背凭れ板６の裏面に前記裏カバー７を着脱可能に取付けるのである。
【００１５】
更に詳しくは、前記背凭れ板６は、裏面の上部中央に下向き係合片１５を固着するとともに、下縁に裏側へ折曲形成してリブ縁１６を設け、該リブ縁１６には両側部と中央部に下穴１７，…を穿設している。一方、前記裏カバー７は、前面側の上部中央に前記係合片１５に係合する上向き係合爪１８を突設するとともに、上部両側に前記上側の支持片１０，１０の下縁先端部に係止する上向き係止爪１９，１９を突設し、更に下縁に前方へ突出し前記背凭れ板６のリブ縁１６に重合する取付縁２０を形成し、該取付縁２０の両側部と中央部に取付孔２１，…を形成している。
【００１６】
そして、図４〜図６に示すように、前記背凭れ板６の裏面に突設した固定台１１，…を両背凭れ杆８，８の内側の上下部に突設した支持片１０，…の前面側に当止し、該支持片１０に形成した通孔１３に後方からネジ１２を挿通して前記固定台１１の螺孔１４に螺合して取付ける。それから、裏面側から前記裏カバー７を上方へ持ち上げながら背凭れ板６に重ねることにより、該裏カバー７の前面の上部中央の係合爪１８が、背凭れ板６の裏面の上部中央の係合片１５に嵌合するとともに、該裏カバー７の前面の上部両側の係止爪１９，１９が、図５に示すように背凭れ杆８，８に固定した上側両側の支持片１０，１０の下縁先端部１０Ａに係止し、更に背凭れ板６の下縁のリブ縁１６に裏カバー７の取付縁２０が重合し、その重合部の取付孔２１，…に下方からネジ２２，…を挿通して前記リブ縁１６の下穴１７，…に螺合するのである。
【００１７】
前記背凭れ板６は、鋼板をプレス加工して背中にフィットするように湾曲した形状に形成し、下縁の前記リブ縁１６と上縁の後方へ滑らかに湾曲した円弧縁２３を形成し、前記裏カバー７の上縁に接合するようにし、外観性の向上と強度の向上を図っている。このように、前記背凭れ板６と裏カバー７による構造の背凭れ部５は、厚さが非常に薄くでき、しかもフレーム１の背支持部３への取付けが簡単であるにも係わらず、取付強度、支持強度とも高いのである。尚、前記座支持部２を構成する両側の水平杆の後部を立ち上げて、前後に潰して偏平な固定部２４となしているので、該固定部２４を前記背凭れ杆８の内側に位置させて溶接することにより、該固定部２４，２４は厚さの薄い前記背凭れ部５の内部に隠れるようになる。
【００１８】
前記背凭れ板６の表面は、クロスやレザーの表張りを施すことが好ましく、更に厚さが許すならば薄いクッション材を添設することも可能である。
【図面の簡単な説明】
【００１９】
【図１】本発明に係るスタッキング椅子の側面図である。
【図２】同じくスタッキング椅子の平面図である。
【図３】本発明の要部の分解斜視図である。
【図４】背凭れ部と背支持部との関係を示す部分縦断面図である。
【図５】背支持部に背凭れ部を取付けた状態の部分縦断平面図である。
【図６】背凭れ部の構造を示し、（ａ）は背凭れ板と裏カバーを連結する様子を示した縦断面図、（ｂ）は同じく背凭れ板と裏カバーを連結した状態の縦断面図である。
【符号の説明】
【００２０】
１  フレーム
２  座支持部、
３  背支持部、
４  座部、
５  背凭れ部、
６  背凭れ板、
７  裏カバー、
８  背凭れ杆、
９  上杆、
１０  支持片、
１０Ａ  下縁先端部、
１１  固定台、
１２  ネジ、
１３  通孔、
１４  螺孔、
１５  係合片、
１６  リブ縁、
１７  下穴、
１８  係合爪、
１９  係止爪、
２０  取付縁、
２１  取付孔、
２２  ネジ、
２３  円弧縁、
２４  固定部。
【図１】
0005109580.tif 000002
【図２】
0005109580.tif 000003
【図３】
0005109580.tif 000004
【図４】
0005109580.tif 000005
【図５】
0005109580.tif 000006
【図６】
0005109580.tif 000007